(57)【要約】【課題】筆記芯を収容したキャップ式の替芯ケースにおいて、容易に筆記芯を取りやすくすることを課題とする。【解決手段】                                                                  筆記芯１と筆記芯１を収容するケース本体２とケース本体２を封鎖するキャップ３とからなる替芯ケースにおいて、キャップ３をケース本体２から取り外した際に筆記芯１の先端の全周がケース本体２から突出していることを特徴とする替芯ケースとした。【選択図】        図２
2014037113.tif 000002
【特許請求の範囲】
【請求項１】
筆記芯と筆記芯を収容するケース本体とケース本体を封鎖するキャップとからなる替芯ケースにおいて、キャップをケース本体から取り外した際に筆記芯先端の全周がケース本体から突出していることを特徴とする替芯ケース。
【請求項２】
筆記芯先端の突出長さは、筆記芯の全長の５〜１０％であることを特徴とする請求項１記載の替芯ケース。
【請求項３】
ケース本体の開口側端部の内径は開口部に向かって拡径していることを特徴とする請求項２記載の替芯ケース。
【請求項４】
ケース本体の内部は段差が形成されていることを特徴とする請求項３記載の替芯ケース。
【請求項５】
ケース本体とキャップとは螺子による螺合であると共に、キャップ内面に緩み止め防止のリブが形成されていることを特徴とする請求項１又は４記載の替芯ケース。
【発明の詳細な説明】
【技術分野】
【０００１】
本発明は、シャープペンシル用の芯、鉛筆芯等の筆記芯を収容する替芯ケースに関する。
【背景技術】
【０００２】
従来よりケース本体とキャップからなる替芯ケースは数多く存在する。特許文献１〜３に開示された替芯ケースは筆記芯を取り出す際にはケース本体からキャップを取り外した後、ケース本体を本体の開口部を下側に向けて傾斜しないと筆記芯を取り出すことができない。その際、ケース本体を過度に傾斜させすぎると、大量の筆記芯がケース本体から落下してこぼしてしまうおそれがある。そこで、キャップを外した後、ケース本体の開口部を下側に向けて傾斜しなくとも筆記芯を取り出せる技術が特許文献４に開示されている。
【先行技術文献】
【特許文献】
【０００３】
【特許文献１】特開平９−２９０５９３号公報
【特許文献２】特開平１１−２２７３８３号公報
【特許文献３】特開２００８−５５８０４号公報
【特許文献４】特開２０１０−１７３２４７号公報
【発明の概要】
【発明が解決しようとする課題】
【０００４】
しかし、特許文献４に記載の発明もキャップを取り外した後、ケース本体から突出した筆記芯を指でうまく摘めず取り出しが難しかったり、また筆記芯を折ってしまうことがあった。
【課題を解決するための手段】
【０００５】
そこで発明者は鋭意開発の末、以下の（１）〜（５）の発明を実現するに至った。
（１）筆記芯と筆記芯を収容するケース本体とケース本体を封鎖するキャップとからなる替芯ケースにおいて、キャップをケース本体から取り外した際に筆記芯先端の全周がケース本体から突出していることを特徴とする替芯ケース。
（２）筆記芯先端の突出長さは、筆記芯の全長の５〜１０％であることを特徴とする替芯ケース。
（３）ケース本体の開口側端部の内径は開口部に向かって拡径していることを特徴とする替芯ケース。
（４）ケース本体の内部は段差が形成されていることを特徴とする替芯ケース。
（５）ケース本体とキャップは螺子による螺合であると共に、キャップ内面に緩み止め防止のリブが形成されていることを特徴とする替芯ケース。
【発明の効果】
【０００６】
（１）及び（２）の発明により、替芯ケースをケース本体からキャップを外した際、筆記芯の端部がケース本体から突出しているので、替芯ケースを傾斜することなく、かつ内容物である筆記芯を折れにくく、容易に取り出しやすくすることができる。
（３）の発明により、ケース本体の開口部の先端の内径が拡径しているので、開口部の先端が筆記芯で汚れずに拡径部の境界線に汚れが付着するので、手を汚さずに筆記芯を取り出すことができる。
また、（４）の発明によりケース本体の内部に段差が形成されていることで、筆記芯が静電気等によりケース本体への貼り付きを防ぐことができるので容易に１本ずつ取り出しやすくすることができる。
さらに（５）の発明により、キャップ内面の緩み止め防止リブがケース本体と圧入することから、輸送等においてケース本体からキャップの脱落を防ぐことができる。
【図面の簡単な説明】
【０００７】
【図１】本発明における替芯ケースの全体図である。
【図２】本発明におけるケース本体からキャップを取り外した図である。
【図３】本発明におけるケース本体の部品図である。
【図４】本発明におけるケース本体前方の拡大図である。
【図５】本発明におけるキャップの部品図である
【図６】本発明におけるキャップの他例の部品図である。
【発明を実施するための形態】
【０００８】
以下、図面を参照して説明する。なお、本発明において前方とは替芯ケースのキャップ側、後方とは尾栓側を示す。また、本発明は以下の説明における実施形態、図面に限定されない。
【０００９】
図１は、本発明における替芯ケースの全体図である。図１（ａ）は、斜視図、図１（ｂ）は正面図、図１（ｃ）は図１（ｂ）の縦断面図である。替芯ケースは鉛筆ホルダーやシャープペンシル等を介して保持される筆記芯１、筆記芯１を収容するケース本体２、ケース本体２の前方の端部に螺合され着脱可能なキャップ３、ケース本体２の後方を塞ぐ尾栓４からなる。キャップ３は未使用時においては、ケース本体２を封鎖して、筆記芯１を取り出せない形態となっている。
【００１０】
替芯ケース内に収容されている筆記芯１は直径０．３ｍｍ〜２．０ｍｍの棒状の芯体である。筆記芯１は一般のシャープ芯や鉛筆芯、色芯、セラミック芯、摩擦熱等で変色する熱変色材料を含有した熱変色芯などが挙げられる。
【００１１】
ケース本体２とキャップ３とを螺合した際、筆記芯１のケース本体２に対する軸線方向への隙間Ｘは筆記芯の長さの５％〜１０％が望ましい。隙間Ｘは筆記芯１の全長の５％を下回るとキャップ３を螺合した際に誤って筆記芯１を折ってしまったり、替芯ケースに筆記芯１が残っている際において替芯ケースを振った音で筆記芯１の残量を確認することが困難になってしまう。逆に、隙間Ｘは筆記芯１の全長の１０％を上回ると替芯ケースの持ち運びの際に筆記芯１がケース本体２内で軸線方向に大きく揺れてしまうので筆記芯１の破損に繋がるおそれがある。
【００１２】
なお、ここでは図示しないが、ケース本体２に不透明やグラデーション模様の転写フィルムの蒸着や不透明色の塗装を施すことで、尾栓４と筆記芯１との境界線を隠すことができる。
【００１３】
更に替芯ケース全体をプラスチックフィルム等の包装材を被覆することで、輸送時等の未使用時における替芯ケースの外観の保護をすることができる。更に包装材に流通時に必要な情報、例えばバーコード等や注意書きを付与することで使用時における替芯ケースの意匠性を損なうことを防ぐことができる。また、包装材にミシン目を形成することで、容易に包装材を引き裂くことができる。
【００１４】
図２は、本発明における替芯ケースのケース本体からキャップを取り外した図である。図２（ａ）は正面図、図２（ｂ）は図２（ａ）の縦断面図である。ケース本体２とキャップ３はネジによる螺合となっている。キャップ３はケース本体２に対して相対回転することにより着脱可能となっている。キャップ３をケース本体２から取り外すと筆記芯１の前方端部が全周に渡って突出している。筆記芯１の端部が全周に渡り突出することで手、指で摘み易くすることができる。筆記芯１のケース本体２からの突出長さＹは筆記芯の全長の５〜１０％が望ましい。突出長さＹは筆記芯１の全長の５％を下回ると指で摘み難くなり、１０％を上回ると摘んだ際に取り出し動作を誤って折損してしまうことがある。
【００１５】
尾栓４はケース本体２から突出する筆記芯１の長さを調整することができる。尾栓４はケース本体２の後方の開放された後端側から挿入し、圧入又は突起との嵌合により固着される。尾栓４は筆記芯１をケース本体２から突出させる底上げ形状となっている。尾栓４の軸線方向の長さによって筆記芯１のケース本体２からの突出量を調整することもできる。なお、尾栓４とケース本体２とは一体部品として形成してもよい。
【００１６】
図３は本発明におけるケース本体２の部品図である。図３（ａ）は前方からの斜視図、図３（ｂ）は左側面図、図３（ｃ）は平面図、図３（ｄ）は正面図、図３（ｅ）は図３（ｄ）の縦断面図、図３（ｆ）は後方からの斜視図、図３（ｇ）は右側面図である。また、図４はケース本体２の前方側の拡大図である。ケース本体２は円筒形状に形成されており、外径を一般の筆記具と略同径にすることで持ち運びを容易にかつ筆箱等に収納しやすくすることができる。ケース本体２は前方には小筒部２１、後方には大筒部２２から構成されている。小筒部２１の外面には一条螺子である螺子部２３が形成されており、キャップ３と螺合する。小筒部２１後方の内面には段部２４が形成されている。段部２４は大筒部２２の内面２５より小さく、小筒部２１の内面２６より大きい径で形成されている。また大筒部の内面２５と小筒部の内面２６を異なる径にすることで、筆記芯１とケース本体２の内面との接触面積を減らし、筆記芯１とケース本体２との静電気等による貼り付きを防止することができる。また、段部２４の内面２５及び内面２６との接続部を斜面状に面取りすることで、筆記芯１がケース本体２と接触により摩擦した際の筆記芯の摩耗を防ぐことができる。なお、斜面状の面取りはＲ状の曲面にしてもよい。
【００１７】
小筒部２１の前方の開口端部２７は、拡径部の境界線である開口部２８から前方に向かって拡径した斜面状となっている。拡径した斜面状にすることによって、手、指が触れる開口端部２７と筆記芯１が接触せず、開口部２８と筆記芯１が接触する。それにより、筆記芯１の削れカスの汚れが開口部２８に付着し、手、指が触れる開口端部２７には汚れが付着することがないので、筆記芯の取り出しの際に手を汚すことがない。また、本形態では斜面状となっているが、開口端部２７が開口部２８より内径が大きければよく、階段状や一部に突起（凸部）を形成する方法にしてもよい。
【００１８】
大筒部の内面２５の後方には尾栓４を固着するために嵌合部２９が形成されている。嵌合部２９は図３（ｅ）に示したとおり、突起（凸部、アンダーカット）同士による嵌合が好ましいが、尾栓４と固着できれば接着剤による方法等でもよい。
【００１９】
図５は本発明におけるキャップ３の部品図である。図５（ａ）は前方からの斜視図、図５（ｂ）は左側面図、図５（ｃ）は平面図、図５（ｄ）は図５（ｃ）の縦断面図、図５（ｅ）は正面図、図５（ｆ）は図５（ｅ）の縦断面図、図５（ｇ）は後方からの斜視図、図５（ｈ）は右側面図である。キャップ３は後方が開放された円筒状に形成しており、後方の外周面には突起部３１を形成している。この突起部３１はキャップ３の外形を円筒状に形成した場合、机上等の平坦面等に置いた際の替芯ケースの転がりを防止することができる。なお、突起部３１はケース本体の外周面に形成してもよい。また、キャップ３の表面はローレット加工による梨地処理等を施すことで、ケース本体２から容易に取り外すこともできる。前方の天井面３２には、キャップ３の前方から後方まで連通する筆記芯１の外径より小径の通気孔３３が形成されており、誤って飲み込んでしまっても窒息を防ぐことができる。キャップ３の内面の前方には複数のリブ３４、後方にはキャップ本体と螺号する雌螺子部３５が形成されている。リブ３４は、ケース本体２の小筒部２１の外径より小径に形成されるが、キャップ３をケース本体２に固着した際に当接しないことが望ましい。
【００２０】
図６は他例のキャップの部品図である。図６（ａ）は前方からの斜視図、図６（ｂ）は左側面図、図６（ｃ）は平面図、図６（ｄ）は図６（ｃ）の縦断面図、図６（ｅ）は正面図、図６（ｆ）は図６（ｅ）の縦断面図、図６（ｇ）は後方からの斜視図、図６（ｈ）は右側面図である。図５のキャップと異なる点はキャップ内面に緩み止め防止としての延長リブ３６を３本形成したことである。それ以外は図５のキャップと同様である。延長リブ３６は、キャップ３をケース本体２に固着した際に、ケース本体２の小径部２１と接触することにより、キャップ３のケース本体２からの緩み止めと螺合完了時のクリック感を得ることができる。延長リブ３６の本数は、リブ３４の半数程度が好ましい。延長リブ３６の内接径とケース本体２の小径部２１の外径との圧入代は０．０２ｍｍ〜０．１０ｍｍが好ましい。
【００２１】
本発明における替芯ケースの材料は、ケース本体２、キャップ３、尾栓４はポリプロピレン、ＡＢＳ、ポリエチレン、ポリカーボネート等の樹脂材料からなる。また、キャップ３と尾栓４においては熱硬化性ゴムや熱可塑性エラストマーや市販の消しゴムなどゴム弾性を有する材料とすることもできる。それにより落下時の衝撃の緩和することができる。また、筆記芯で筆記した際に誤った箇所を消すこともできる。さらに滑らずにキャップ３を取り外すこともできる。
【産業上の利用可能性】
【００２２】
本発明は筆記芯を容易に取出しが可能な替芯ケースであり、産業上に有益な発明である。
【符号の説明】
【００２３】
１  筆記芯
２  ケース本体
３  キャップ
４  尾栓
２１  小筒部
２２  大筒部
２３  螺子部
２４  段部
２５  大筒部の内面
２６  小筒部の内面
２７  開口端部
２８  開口部
２９  嵌合部
３１  突起部
３２  天井面
３３  通気孔
３４  リブ
３５  雌螺子部
３６  延長リブ
【図１】
2014037113.tif 000003
【図２】
2014037113.tif 000004
【図３】
2014037113.tif 000005
【図４】
2014037113.tif 000006
【図５】
2014037113.tif 000007
【図６】
2014037113.tif 000008